(57)【要約】【課題】現金自動取引装置において、出金された紙幣の枚数を数えるのを容易にし、出金のために入力した金額と出金紙幣との確認のために要する時間を短縮することを課題とする。【解決手段】出金のために入力した金額に対して仕分けしたい設定データが指定されると、設定データを保存し、その仕分け設定データに基いて紙幣を計数し、出金入力金額の出金紙幣の間に設定データに基いて仕切シートを挿入して出金紙幣を排出するようにし、出金紙幣を仕切りシートで区切って仕分けすることにより、出金紙幣の枚数確認を容易にして時間短縮を実現した。【選択図】図１
2007249895.tif 000002
【特許請求の範囲】
【請求項１】
出金のために入力された金額に基いて紙幣を計数して出金紙幣を排出する紙幣処理装置において、
出金入力金額に対して仕分けしたい設定データが指定されると前記設定データを保存させる仕分け指定手段と、
前記出金設定データに基いて紙幣を計数する手段と、
前記出金入力金額の出金紙幣の間に前記設定データに基いて仕切シートを挿入する手段とを備えたことを特徴とする紙幣処理装置。
【請求項２】
前記設定データが単数のデータであり、前記出金紙幣の間に前記設定データごとに前記仕切シートを挿入することを特徴とする請求項１記載の紙幣処理装置。
【請求項３】
前記設定データが複数のデータであり、前記出金紙幣の間にそれぞれの設定データに基いて前記仕切シートを挿入することを特徴とする請求項１記載の紙幣処理装置。
【請求項４】
前記仕切シートが仕切用紙であることを特徴とする請求項１〜３のいずれかに記載の紙幣処理装置。
【請求項５】
前記出金紙幣を仕分けした際、前記仕切用紙に前記設定データを印字する手段を備えたことを特徴とする請求項４記載の紙幣処理装置。
【請求項６】
出金のために入力された金額に基いて紙幣を計数して出金紙幣を排出する紙幣処理方法において、
出金入力金額に対して仕分けしたい設定データが指定されると前記設定データを保存するステップと、
前記設定データに基いて紙幣を計数するステップと、
前記出金入力金額の出金紙幣の間に前記設定データに基いて仕切シートを挿入して前記出金紙幣を排出するステップとを備えたことを特徴とする紙幣処理方法
【請求項７】
前記設定データが単数のデータであり、前記出金紙幣の間に前記設定データごとに前記仕切シートを挿入することを特徴とする請求項６記載の紙幣処理方法。
【請求項８】
前記設定データが複数のデータであり、前記出金紙幣の間にそれぞれの設定データに基いて前記仕切シートを挿入することを特徴とする請求項６記載の紙幣処理方法。
【請求項９】
前記仕切シートが仕切用紙であることを特徴とする請求項６〜８のいずれかに記載の紙幣処理方法。
【請求項１０】
前記出金紙幣を仕分けした際、前記仕切用紙に前記設定データを印字するステップを備えたことを特徴とする請求項９記載の紙幣処理方法。
【発明の詳細な説明】
【技術分野】
【０００１】
本発明は、主として金融機関に設置される自動化機器装置等における紙幣処理装置及び紙幣処理方法に関するものである。
【背景技術】
【０００２】
自動化機器装置としては、顧客が操作して現金を入出金する現金自動取引装置がよく知られている。
図９は従来の現金自動取引装置を示すブロック図である。
自動取引装置は、ＣＰＵ１と、顧客が操作するキー、表示画面等を有する顧客操作部２、通帳等にデータを印字する印字部３、現金を計数して入出金処理する現金処理部４、キャッシュカード等のカードリーダライタ５、取引データを一時的に格納するＲＡＭ６、プログラムや顧客情報を格納するＲＯＭ７、ホストコンピュータ８とＣＰＵ１間の情報の伝送を制御する通信制御部９等を備えている。
【０００３】
このような自動取引装置においては、紙幣の計数は顧客が入力した金額や金種枚数に従って実施され、多くの金額や枚数の場合でも紙幣を一括して顧客に排出している。
そのため、顧客は指定した金額や枚数と間違っていないか確認するのに、出金された紙幣を手で数えているのが実情である。
多くの金額を指定した場合（現状では最大２００枚）、自動取引装置の前で紙幣を数えるのには時間もかかるし、セキュリティ上もあまり好ましくない。
一方、現金自動取引装置において、入出金金庫に収納された全ての現金を計数して、この計数完了時にリジェクトボックスに既に収納されている損傷の激しい紙幣や紙幣でない紙等の除外物と、その後にリジェクトボックスに収納される除外物とを区別する仕切りを挿入することは開示されている（特許文献１参照）。
【特許文献１】特開平０８−２９７７６６号公報
【０００４】
しかしながら、この仕切りは、リジェクトボックスに収納された除外物の間に現金の計数完了時点を境に挿入され、取り敢えず取引を再開して装置の稼働率を高めるためのものであり、顧客が出金された紙幣の枚数を数える不便さを解決するものではない。
【発明の開示】
【発明が解決しようとする課題】
【０００５】
本発明は、出金された紙幣の枚数を数えるのを容易にして金額や枚数を確認するために要する時間を短縮することを課題とする。
【課題を解決するための手段】
【０００６】
上記した課題を解決するため、本発明は、出金入力金額に対して仕分けしたい設定データが指定されると設定データを保存し、その設定データに基いて紙幣を計数し、出金入力金額の出金紙幣の間に設定データに基いて仕切シートを挿入して出金紙幣を排出するようにしたものである。
【発明の効果】
【０００７】
本発明は、出金入力金額に対して仕分けしたい設定データを指定することにより、出金入力金額の出金紙幣の間に設定データに基いて仕切シートを挿入するようにしたので、出金紙幣を数えるのを容易にして確認のために要する時間を短縮することができる。
出金紙幣の枚数確認が短縮されると、装置の前で長い時間をかけて紙幣を１枚ずつ数える必要がなくなるので、セキュリティの上でも効果が大きい。
【発明を実施するための最良の形態】
【０００８】
本発明は、出金のために入力された金額に基いて紙幣を計数して出金紙幣を排出する紙幣処理方法において、出金入力金額に対して仕分けしたい設定データが指定されるとその設定データを保存するステップと、設定データに基いて紙幣を計数するステップと、出金入力金額の出金紙幣の間に設定データに基いて仕切シートを挿入して出金紙幣を排出するステップとを備えることにより、出金された紙幣の枚数を数えるのを容易にして確認のために要する時間を短縮することを実現した。
【実施例１】
【０００９】
図１は本発明の取引例の実施フローチャートで、キャッシュカードを使用して紙幣を出金する場合を示している。
ステップＳ１で顧客がキャッシュカードを自動取引装置の所定の挿入口に挿入し、ステップＳ２において顧客操作部の画面から暗証番号を入力し、ステップＳ３で出金したい金額Ｙ１を入力する。
ステップＳ４では、出金入力金額Ｙ１に対して仕分けしたい金額の設定データを指定する。ステップＳ５では、自動取引装置のＣＰＵはホストコンピュータと通信線を接続して取引情報を送受信する。
【００１０】
ＣＰＵはホスト通信により取引可否等の電文を受信して現金（紙幣）処理部等を動作させ、ステップＳ６において出金紙幣を計数し、ステップＳ４で指定された設定データに基いて仕分けし、出金紙幣の間に仕切シート例えば仕切用紙を挿入する。
ステップＳ７では、キャッシュカードを返却すると共に、設定データに基いて仕切用紙が挿入された出金紙幣を排出して取引を終了する。
なお、ステップＳ１〜Ｓ３、Ｓ５、Ｓ７は従来と同様の処理であり、本発明はこれにステップＳ４及びＳ６を追加したものに相当する。
【００１１】
図２は本発明の実施例１の仕分け指定を示すフローチャートで、図１のステップＳ４を詳細にしたものである。
ステップＳ４１１では、仕分け指定する画面をタッチパネル１１に示しており、顧客がタッチパネル１１のテンキー１２から仕分けする設定データの金額（枚数）を入力する。
実施例１は仕分けの単数指定の場合で、単数指定キー１３を押してその枚数入力欄１４にテンキー１２から仕分け設定データＹ２を入力し、１万円札か千円札かの区別をそれぞれのキーで入力し、設定データの「Ｙ２」枚ごとの表示を行う。
【００１２】
仕分け指定手段としては、図９の例で説明すると、ＣＰＵ１、ＲＯＭ７に格納されたプログラム、顧客操作部２の表示部等から成り、ＣＰＵ１の制御により表示部に図２の仕分け指定の画面を表示させ、仕分け設定データＹ２を入力するとその設定データＹ２をＲＡＭ６に保存するようにプログラムを構成することにより実現することができる。
【００１３】
ステップＳ４１２では仕分け指定された設定データＹ２を装置の内部データメモリであるＲＡＭに保存する。なお、出金入力金額Ｙ１より大きい設定データでは、仕分けは不可能なので、予めＹ１≧Ｙ２の条件を設定しておく。ステップＳ４１２の後は図１のステップＳ５１に進む。
【００１４】
図３は実施例１の紙幣計数（仕分け）を示すフローチャートで、図１のステップＳ６を詳細に示したものである。
ステップＳ６１１では、装置の紙幣処理部に設けた仕切シートを挿入する手段により、仕切用紙を挿入する。ステップＳ６１２では、出金入力金額であるＹ１の紙幣を計数して計数値Ｙ３＝Ｙ１となる。
ステップＳ６１３では計数したＹ１の出金紙幣の中からメモリに保存された仕分け指定の設定データＹ２に基いて紙幣を計数する。
ステップＳ６１４では新たな計数値Ｙ３は先の計数値Ｙ３（＝Ｙ１）−Ｙ２となり、ステップＳ６１５では新たな計数値Ｙ３が正、即ち先の計数値Ｙ３≧Ｙ２であるかどうかチェックし、ＮＯの場合はステップＳ６１７に進み、仕分けできなかった剰余分である残りの紙幣を計数（Ｙ３）し、ステップＳ６１８で仕切用紙を挿入して計数を終了する。
【００１５】
ステップＳ６１５において、Ｙ３≧Ｙ２がＹＥＳの場合は、設定データＹ２を計数した紙幣の後に、仕切用紙を挿入し、ステップＳ６１３に戻る。
この処理を設定データＹ２ごとに、ステップＳ１６のＹ３≧Ｙ２がＮＯになるまで繰り返す。
これにより入力金額Ｙ１の出金紙幣の間に、設定データのＹ２枚ごとに仕切用紙が挿入されて仕分けした出金紙幣を排出することができる。
【００１６】
図４は実施例１の具体例を示す概念図で、出金入力金額Ｙ１＝２５、仕分け設定データＹ２＝１０の例を示している。
全体で２５枚の出金紙幣１７の内、１０枚ごとに仕切用紙１８が挿入され、剰余分として５枚の紙幣１７が残った状態が示されている。
顧客はこれらの出金紙幣１７を手にした場合、１０枚ごとに仕切用紙１８が挿入されているので、２０枚分は極めて容易に確認でき、残った剰余分の５枚を数えれば良いので、入力金額と出金紙幣との確認は短時間で完了することができる。
【００１７】
なお、図４に示したように、仕切用紙１２に設定データ等を装置の印字部で印刷しても良く、この場合は図３のステップＳ６１６の中で印字部を通して設定データを印字するようにすれば良い。
また、剰余分のデータを仕切用紙１８に印刷しても良く、この場合は図３のステップＳ６１７の中で剰余分のデータを印字するようにすれば良い。
なお、最初の仕切用紙１８に出金入力金額（枚数）、仕分け設定データ等を印字する場合は、ステップ６１１の中でそのデータを印字することにより実現できる。
このように印字すると、顧客は自分が入力し、指定したデータを目視で確認できるので便利である。
【００１８】
図５は仕切シート挿入手段の例を示す図で、現金自動取引装置の場合を示している。
自動取引装置は図９に示したものと同様の構成であるが、図５は仕切シートの挿入時に関連する部分を示している。
本発明にかかる部分は仕切シートカセット１９と仕切シート等が搬送される走行路２０の部分である。各金種出金用カセット２１、補充／回収カセット２２、取忘れ回収庫２３、リジェクト回収庫２４、紙幣認識部２５、紙幣接客部２６は従来と同じである。
【００１９】
各金種出金用カセット２１、図示してない計数部、走行路２０等は図９の現金処理部（紙幣処理部）４を構成しており、ここに仕切シートを格納した仕切シートカセット１９を設置することによって、仕切シート挿入手段が構成される。
仕切シートカセット１９から仕切シートを繰り出して計数された紙幣の間に挿入することは、計数されて走行路２０で搬送される紙幣と同様に仕切シートが走行路２０を搬送することにより実現される。
【００２０】
以上のように実施例１によれば、出金入力金額に対して仕分けしたい単数の仕分け設定データを指定することにより、入力金額の出金紙幣の間に設定データの金額（枚数）の紙幣ごとに仕切用紙を挿入するようにしたので、出金紙幣を数えるのを容易にし、出金入力金額と出金紙幣との確認のために要する時間を短縮することができる。
出金紙幣の枚数確認が短縮されると、装置の前で長い時間をかけて紙幣を１枚ずつ数える必要がなくなるので、セキュリティの上でも効果が大きい。
また、仕切用紙に設定データ等を印字することにより顧客サービスの向上もはかることができる。
【実施例２】
【００２１】
図６は本発明の実施例２の仕分け指定を示すフローチャートで、図１のステップＳ４を詳細に示したものである。
ステップＳ４２１では、仕分け指定する画面を、タッチパネル１１に示しており、顧客がタッチパネルのテンキー１２から仕分けする設定データの金額（枚数）を入力する。
実施例２は仕分けの複数指定の場合で、複数指定キー１５を押してその枚数入力欄１６にテンキー１２から複数の仕分け設定データＹ２ｎ、ここでは第１の設定データＹ２１、第２の設定データＹ２２を入力し、１万円札か千円札かの区別をそれぞれのキーで入力し、設定データの「Ｙ２１」，「Ｙ２２」の表示を行う。
【００２２】
ステップＳ４２２では仕分け指定された設定データＹ２ｎであるＹ２１，Ｙ２２を装置の内部データメモリであるＲＡＭに保存する。なお、出金入力金額Ｙ１より複数の設定データの合計が大きければ複数の仕分けはできないので、予めＹ１≧Ｙ２、ここではＹ２＝Ｙ２１＋Ｙ２２の条件を設定しておく。ステップＳ４２２の後は図１のステップＳ５に進む。
【００２３】
図７は実施例２の紙幣計数（仕分け）を示すフローチャートで、図１のステップＳ６を詳細に示したものである。
ステップＳ６２１では、実施例１と同様に仕切シート挿入手段により仕切用紙を挿入する。ステップＳ６２２では、メモリに保存された仕分け指定の第１の設定データＹ２１に基いて紙幣を計数し、ステップＳ６２３で仕切用紙を挿入する。
ステップＳ６２４では、次の仕分け設定データが有るかどうか調べ、ＹＥＳの場合はステップＳ６２２に戻り、これを繰り返す。ここでは第２の設定データＹ２２が存在するのでＹＥＳとなり、再度ステップＳ６２２〜６２４を繰返す。
【００２４】
ステップＳ６２４では、今度は残された次の設定データは無いのでＮＯとなり、ステップＳ６２５に進む。
ステップＳ６２５では剰余分である残りの紙幣の枚数を計数し、ステップＳ６２６で仕切用紙を挿入して計数を終了する。
このようにして、入力金額Ｙ１の出金紙幣の間に、第１の設定データＹ２１枚の後に仕切用紙が挿入され、第２の設定データＹ２２枚の後に仕切用紙が挿入されて仕分けした出金紙幣を排出することができる。
【００２５】
図８は実施例２の具体例を示す概念図で、出金入力金額Ｙ１＝２５、第１の仕分け設定データＹ２１＝１２、第２の設定データＹ２２＝５の例を示している。
全体で２５枚の出金紙幣１７の内、１２枚で仕切用紙１８が挿入され、更に５枚で仕切用紙１８が挿入され、剰余分として８枚の紙幣１７が残った状態が示されている。
顧客はこれらの出金紙幣１７を手にした場合、指定した通りに仕分けされて仕切用紙１８が挿入されているので、入力金額と出金紙幣との確認は短時間で完了することができる。
【００２６】
なお、実施例１と同様に出金入力金額、仕分け設定データ等を印刷しても良いことは勿論である。
実施例１と実施例２は仕分け指定の設定データが異なるだけで他は同じである。
また、実施例１と実施例２を組み合わせることも可能で、そうすることによりかなり複雑な仕分けも実現することもできる。
【００２７】
上記した実施例においては、仕切シートとして仕切用紙で説明したが、仕切シートとしては紙幣の間に挿入し易いシート状の物ならプラスチック等でも良く、材質は特に限定されない。
ただし、コストや印刷のし易さ等を考慮すると、紙製の仕切用紙が適当で、紙幣と区別し易いカラーのものも良い。
【００２８】
以上のように実施例２によれば、実施例１の効果に加えて、複数の仕分け設定データを指定できるので顧客にとって更に利便性が増大する。
【産業上の利用可能性】
【００２９】
上記した実施例では自動化機器装置である現金自動取引装置で説明したが、本発明は、装置のユーザーが顧客でなく金融機関等の係員である窓口装置等においても適用することができる。
【図面の簡単な説明】
【００３０】
【図１】本発明の取引例の実施フローチャートである。
【図２】実施例１の仕分け指定フローチャートである。
【図３】実施例１の紙幣計数フローチャートである。
【図４】実施例１の具体例を示す概念図である。
【図５】仕切シート挿入手段を示す図である。
【図６】実施例２の仕分け指定フローチャートである。
【図７】実施例２の紙幣計数フローチャートである。
【図８】実施例２の具体例を示す概念図である。
【図９】従来の自動取引装置のブロック図である。
【符号の説明】
【００３１】
１１                            タッチパネル
１２                            テンキー
１３                            単数指定キー
１４，１６                      入力欄
１５                            複数指定キー
１７                            紙幣
１８                            仕切用紙
１９                            仕切シートカセット
２０                            走行路
Ｓ１〜Ｓ７                      ステップ
Ｓ４１１，Ｓ４１２              ステップ
Ｓ４２１，Ｓ４２２              ステップ
Ｓ６１１〜Ｓ６１８              ステップ
Ｓ６２１〜Ｓ６２６              ステップ
【図１】
2007249895.tif 000003
【図２】
2007249895.tif 000004
【図３】
2007249895.tif 000005
【図４】
2007249895.tif 000006
【図５】
2007249895.tif 000007
【図６】
2007249895.tif 000008
【図７】
2007249895.tif 000009
【図８】
2007249895.tif 000010
【図９】
2007249895.tif 000011